(57)【特許請求の範囲】
【請求項１】
所望のショット位置をメモリに記憶し、ショット再生の指示が与えられると、前記メモリからショット位置を読み出して該ショット位置にズーム、フォーカス、アイリス等の所定の制御対象をショット再生するショット機能を備えたレンズ制御装置において、
前記メモリに記憶されたショット位置を表示する表示手段を備えたことを特徴とするレンズ制御装置。
【請求項２】
ショット再生を指示するための複数のショットスイッチに対応して複数のショット位置を前記メモリに記憶することが可能であり、
前記表示手段は、前記各ショットスイッチに並設された複数の表示器により前記メモリに記憶された複数のショット位置を表示することを特徴とする請求項１のレンズ制御装置。
【請求項３】
前記表示手段は、前記ショット位置を表示すると共に、ショット再生する前記制御対象の現在位置を表示することを特徴とする請求項１のレンズ制御装置。
【発明の詳細な説明】
【０００１】
【発明の属する技術分野】
本発明はレンズ制御装置に係り、特にショット再生の指示によりズーム、フォーカス、アイリス等の所定の制御対象を予め設定したショット位置に再生させるショット機能を備えたレンズ制御装置に関する。
【０００２】
【従来の技術】
放送用テレビカメラに使用されるレンズ装置のレンズ制御装置として、ショットボックスと呼ばれるショット機能（プリセット機能）を搭載したコントローラが知られている（例えば、特開平８−３３４６７４号公報）。ショット機能は、予め所望のズーム位置をショット位置として設定しておくと、スイッチのオン操作によってズームをそのショット位置に自動再生するというものである。尚、ショット機能は、ズームの制御に関して用いられるだけでなく、フォーカスやアイリス等のレンズ装置の他の制御対象の制御についても用いられる。
【０００３】
従来のショットボックスには、例えば、複数のショットスイッチと各ショットスイッチに対応した複数のボリウム（調整ツマミ）が設けられており、各ボリウムでショット位置を設定し、ショットスイッチをオンすることで、ボリウムで設定したショット位置にズームをショット再生することができるようになっている。
【０００４】
また、近年では半導体記憶素子が安価になっているため、また、ショット位置をボリウムで設定する場合にはボリウムの占有面積が大きくなると共に、接触不良が生じ易いという不具合があるため、ボリウムの代わりに、半導体記憶素子（以下、メモリという）を搭載し、メモリに所望のショット位置を各ショットスイッチに割り当てて登録しておくことができるショットボックスが製品化されている。このようなショットボックスでは、ショット位置を設定する場合には、まず、ショットボックス以外の通常のコントローラでレンズ装置のズームを操作し、ショット位置として登録したい位置にズームを設定する。そして、ショットボックスに設けられたメモスイッチをオンにして、所望のショットスイッチをオンする。これにより、そのときのズーム位置がレンズ装置からショットボックスに読み込まれて、オンされたショットスイッチに対応するメモリアドレスにショット位置として記憶される。ズームをショット位置に再生する場合には、メモスイッチをオフにした状態で、所望のショットスイッチをオンにする。これにより、オンしたショットスイッチに対応するメモリアドレスのショット位置がメモリから読み出され、そのショット位置にズームが移動するようにショットボックスからレンズ装置に制御信号が送信されてズームがショット位置に再生される。
【０００５】
【発明が解決しようとする課題】
しかしながら、ショット位置をメモリに記憶するようにしたショットボックスの場合、ショット位置をボリウムで設定する場合のようにショット位置を視覚的に把握することができない。このため、操作者は、登録したショット位置を自分で覚えておかなければならず、また、忘れた場合には実際にショット再生してみないとショット位置を知ることができないという問題が生じていた。
【０００６】
本発明はこのような事情に鑑みてなされたもので、所望のショット位置をメモリに記憶してショット再生の制御を行うレンズ制御装置において、メモリに記憶されたショット位置を容易に把握することができるレンズ制御装置を提供することを目的とする。
【０００７】
【課題を解決するための手段】
本発明は前記目的を達成するために、所望のショット位置をメモリに記憶し、ショット再生の指示が与えられると、前記メモリからショット位置を読み出して該ショット位置にズーム、フォーカス、アイリス等の所定の制御対象をショット再生するショット機能を備えたレンズ制御装置において、前記メモリに記憶されたショット位置を表示する表示手段を備えたことを特徴としている。
【０００８】
本発明によれば、メモリに記憶されたショット位置を表示手段に表示するようにしたため、操作者はショット再生を実行させる際にショット再生されるショット位置を容易に知ることができる。また、ショット位置の表示と共に、ショット再生される制御対象の現在位置を表示することにより、制御対象がショット位置に達するまでの残り移動量を知ることができる。
【０００９】
【発明の実施の形態】
以下添付図面に従って本発明に係るレンズ制御装置の好ましい実施の形態について詳説する。
【００１０】
図１は、本発明が適用されるショットボックスを使用したテレビカメラシステムの外観図である。同図に示すように雲台２に支持されたテレビカメラ４には、サーボ操作式のレンズ装置６が装着される。雲台２には２本の操作ロッド２Ａ、２Ｂが延設されており、操作ロッド２Ａのグリップ付近には、ショットボックス１０が固定ツマミ１２によって取り付けられる。
【００１１】
ショットボックス１０にはフォーカスをマニュアル操作するフォーカスデマンド１４が一体的に設けられており、このフォーカスデマンド１４は、フォーカスノブ１４Ａの回転操作量に応じてレンズ装置６内のフォーカスレンズ群の移動位置を指令する位置制御信号（フォーカス制御信号）をショットボックス１０を介してレンズ装置６に伝送する。このフォーカス制御信号に基づいてレンズ装置６内のフォーカスレンズ群が駆動される。
【００１２】
他方、操作ロッド２Ｂのグリップ付近には、ズームスピードを操作するズームデマンド１６が取り付けられており、このズームデマンド１６はズームリング１６Ａの回動方向と回転量に応じて広角側又は望遠側にズーム動作させる速度制御信号（ズーム制御信号）をショットボックス１０を介してレンズ装置６に出力する。この速度制御信号に基づいてレンズ装置６内のズームレンズ群が速度制御によって駆動される。
【００１３】
図２は、上記ショットボックス１０の外観図である。上述のようにショットボックス１０には、フォーカスデマンド１４が一体的に設置されており、そのフォーカスデマンド１４の操作に基づくフォーカス制御信号は、ショットボックス１０の下面にあるレンズ用コネクタ２０からケーブルを介して上記レンズ装置６に送信される。また、ショットボックス１０の上面にはズームデマンド１６が接続されるズームデマンド用コネクタ２２が設けられており、ズームデマンド１６から出力されたズーム制御信号はケーブルを介してこのズームデマンド用コネクタ２２からショットボックス１０に入力され、ショットボックス１０の下面のレンズ用コネクタ２０からレンズ装置６に送信される。
【００１４】
ショットボックス１０の正面の操作パネル２４には、１〜６番までのショットスイッチ２６Ａ〜２６Ｆ、メモスイッチ２８、表示器３０Ａ〜３０Ｆ及びスピード調整ツマミ３４が設けられている。また、各スイッチにはオンとオフの状態を表示するＬＥＤが設けられている。
【００１５】
ショットスイッチ２６Ａ〜２６Ｆは、ズームに関するショット位置の登録（記憶）や再生を指示するもので、これらの６個のショットスイッチ２６Ａ〜２６Ｆを使用することによって最大で６通りのショット位置を登録し、再生することができるようになっている。尚、ズームに限らずフォーカス等についてもショット位置を登録し、再生できるようにしたものがあるが、本実施の形態ではズームに関するショット位置のみ登録し、再生できるものとする。
【００１６】
メモスイッチ２８は、登録モードと再生モードとを切り替えるもので、メモスイッチ２８を押すごとにこれらのモードが切り替えられる。メモスイッチ２８のＬＥＤが点灯（又は点滅）している状態では登録モードであり、この登録モードにおいて、上記ショットスイッチ２６Ａ〜２６Ｆの何れかを押すと、そのショットスイッチに対応して、そのときのレンズ装置６におけるズーム位置がショット位置として登録される。
【００１７】
一方、メモスイッチ２８のＬＥＤが消灯している状態では再生モードであり、この再生モードにおいて、ショット位置が登録済みの上記ショットスイッチ２６Ａ〜２６Ｆの何れかを押すと、そのショットスイッチに対応して登録されているショット位置にズームが再生される。
【００１８】
尚、ショット再生後にズームデマンド１６を操作すれば、ショットは解除され、ショット位置からズームデマンド１６の操作に基づいてレンズ装置６のズームが移動する。ただし、ショットを解除するスイッチを設け、そのスイッチによってショットが解除されるまでズームデマンド１６の操作を無効とするようにしてもよい。
【００１９】
表示器３０Ａ〜３０Ｆは、各ショットスイッチ２６Ａ〜２６Ｆに対応して設けられており、各ショットスイッチ２６Ａ〜２６Ｆに登録されたショット位置を表示すると共に、再生モードにおいて対応するショットスイッチがオンされた場合にはズームの現在位置を併せて表示する。尚、表示器３０Ａ〜３０Ｆについての詳細は後述する。
【００２０】
スピード調整ツマミ３４は、ショット再生の際にズームの再生速度を設定するものである。
【００２１】
図３は、上記レンズ装置６及びショットボックス１０の構成を示した構成図である。同図に示すように、レンズ装置６とショットボックス１０とは、通信インターフェース５０及び通信インターフェース５２間においてケーブルにより接続され、これらの通信インターフェース５０及び通信インターフェース５２間でシリアル通信により各種信号のやり取りが行われる。また、フォーカスデマンド１４やズームデマンド１６は、ショットボックス１０に接続され、フォーカスデマンド１４やズームデマンド１６から出力されたフォーカス制御信号及びズーム制御信号はショットボックス１０を介してレンズ装置６に送信されるようになっている。
【００２２】
レンズ装置６のズームレンズ群５４、フォーカスレンズ群５６及びアイリス５８は、それぞれモータ６０、６２、６４によって駆動され、これらのモータ６０〜６４は、ＣＰＵ６６からＤ／Ａ変換器６８を介して与えられる駆動信号に基づいてそれぞれアンプ７０、７２、７４によって制御される。尚、ズームレンズ群５４の制御は速度制御であり、フォーカスレンズ群５６及びアイリス５８は位置制御である。
【００２３】
ＣＰＵ６６は、ショットボックス１０から通信インターフェース５０を介して与えられるズーム制御信号及びフォーカス制御信号に基づいて、ズームレンズ群５４及びフォーカスレンズ群５６を駆動するための上記駆動信号を各アンプ７０、７２に出力する。ズーム制御信号及びフォーカス制御信号は、主としてズームデマンド１６やフォーカスデマンド１４から出力された制御信号がショットボックス１０を介して与えられるものであるが、ショットボックス１０がショット再生の処理を実行する際には、ショットボックス１０のＣＰＵ９０で生成されたズーム制御信号が与えられる。尚、ショットの処理についての詳細は後述する。
【００２４】
アイリス５８の制御に関しては、ＣＰＵ６６は、テレビカメラ４からＡ／Ｄ変換器７６を介して与えられるアイリス制御信号に基づいてアイリス５８を駆動するための上記駆動信号をアンプ７４に出力する。
【００２５】
また、ＣＰＵ６６は、ズームレンズ群５４、フォーカスレンズ群５６及びアイリス５８の位置をそれぞれ位置検出器７８、８０、８２によって検出しており、ショットボックス１０からの要求に応じて、これらの検出した位置を通信インターフェース５０を介してショットボックス１０に送信する。
【００２６】
ショットボックス１０のＣＰＵ９０は、図２で示した操作パネル２４のショットスイッチ２６Ａ〜２６Ｆ、メモスイッチ２８のオン、オフ操作を検出すると共に、スピード調整ツマミ３４の設定位置をＡ／Ｄ変換器９２を介して検出する。そして、これらの検出に基づいてショット位置の登録（ショット登録）、ショット再生等の処理を実行する。ショットスイッチ２６Ａ〜２６Ｆのいずれもオフとなっている時（ショット登録及びショット再生のいずれの処理も実行しない時）には、ＣＰＵ９０は、ズームデマンド１６、フォーカスデマンド１４からＡ／Ｄ変換器９２を介して与えられるズーム制御信号及びフォーカス制御信号をデジタル信号として、通信インターフェース５２を介してレンズ装置６のＣＰＵ６６に送信する。但し、ＣＰＵ９０はショット再生の処理を実行する時にはズームデマンド１６から与えられたズーム制御信号をレンズ装置６に送信せずに、そのショット再生の制御のためのズーム制御信号を自己で生成してレンズ装置６に送信する。
【００２７】
また、ＣＰＵ９０は、各スイッチに設けられたＬＥＤ９４（ＬＥＤ９４は各スイッチに設けられた複数のＬＥＤを示す）の点灯、消灯をスイッチのオン・オフ状態に応じて制御する。更に、ＣＰＵ９０は、各ショットスイッチ２６Ａ〜２６Ｆに登録されたショット位置に基づいて表示器３０（表示器３０は図２に示した各ショットスイッチ２６Ａ〜２６Ｆ毎の複数の表示器３０Ａ〜３０Ｆを示す）のＬＥＤの点灯、消灯を制御すると共に、ショット再生時にはレンズ装置６から取得したズームの現在位置に基づいて表示器３０のＬＥＤの点灯、消灯を制御する。尚、表示器３０の制御については後述する。
【００２８】
次に、上記ショットボックス１０のＣＰＵ９０のショットに関する処理について図４のフローチャートを用いて説明する。ＣＰＵ９０は電源が投入されると、初期設定を行った後（ステップＳ１０）、まず、ショットボックス１０の操作パネル２４に設けられている各ショットスイッチ２６Ａ〜２６Ｆ及びメモスイッチ２８の状態を読み込む（ステップＳ１２）。尚、各スイッチは押されている間はオンになり、放されるとオフになる。そして、まず、メモスイッチ２８がオンか否かを判定する（ステップＳ１４）。ここで、ＹＥＳと判定した場合には、次に書込みフラグがオンか否かを判定する（ステップＳ１６）。即ち、ショット位置を登録するための登録モードか否かを判定する。ＹＥＳと判定した場合には書込みフラグをオフにする（ステップＳ１８）。即ち、ショット再生が可能な再生モードに設定し、メモスイッチ２８のＬＥＤを消灯させる。一方、ステップＳ１６においてＮＯと判定した場合には書込みフラグをオンにする（ステップＳ２０）。即ち、登録モードに設定し、メモスイッチ２８のＬＥＤを点灯（又は点滅）させる。
【００２９】
続いて、ＣＰＵ９０は、メモスイッチ２８がオフされたか否かを判定し（即ち２２）、ＹＥＳとなれば上記ステップＳ１２に戻る。
【００３０】
上記ステップＳ１４においてＮＯと判定した場合、次にショットスイッチ２６Ａ〜２６Ｆ（ショット番号ｎ（１〜６））の何れかがオンされたか否かを判定する（ステップＳ２４）。ＹＥＳと判定した場合には、次に、書込みフラグがオンか否かを判定する（ステップＳ２６）。即ち、登録モードか否かを判定する。ＹＥＳと判定した場合には、現在のズーム位置をレンズ装置６から取得し、そのズーム位置をズーム制御値としてオンされたショットスイッチのショット番号ｎ（１〜６）に対応するメモリ内のショットｎのアドレスに記憶する（ステップＳ２８）。尚、メモリは図３には示さなかったが、ＣＰＵ９０によって読み書き可能な、ＣＰＵ９０に内蔵又は接続されたメモリ（ＲＡＭ、ＥＥＰＲＯＭ等）である。
【００３１】
上記ステップＳ２６においてＮＯ、即ち、書込みフラグがオフで再生モードであると判定した場合、まず、オンされたショットスイッチ（ショット番号ｎ）に対応して記憶されているショットｎのズーム制御値をメモリから読み出す（ステップＳ３０）。そして、ＣＰＵ９０は、読み出したズーム制御値にズームを再生するためのズーム制御信号をレンズ装置６に送信し、ショット再生を実行する（ステップＳ３２）。ここで、ＣＰＵ９０は、スピード調整ツマミ３４の設定位置を読み取り、その設定位置に応じた再生速度でズームを再生するようにズーム制御信号を生成し、レンズ装置６に送信する。また、ＣＰＵ９０は、レンズ装置６から現在のズーム位置を読み取り、その位置を、オンされたショットスイッチに対応する表示器３０（表示器３０Ａ〜３０Ｆのうちオンされたショットスイッチに対応する表示器）に表示させる。尚、以下のステップＳ３２、３４の処理と併せて表示器３０の表示に関する説明は後述する。
【００３２】
ステップＳ３２の処理が終了すると、又は、上記ステップＳ２４においてＮＯと判定した場合には、ＣＰＵ９０は、ステップＳ３４に移行し、各ショットスイッチ２６Ａ〜２６Ｆに対応してメモリに記憶されたショット位置を、各表示器３０Ａ〜３０Ｆを制御して表示する。即ち、ＣＰＵ９０は、メモリに記憶されている全てのショットのズーム制御値（ショット位置を示す値）を読み出す（ステップＳ３４）。そして、読み出した各ショットのズーム制御値に応じて、対応する各表示器３０Ａ〜３０Ｆに対してＬＥＤの点灯、消灯を制御する（ステップＳ３６）。以上のステップＳ１２からステップＳ３６の処理を繰り返すことにより、ＣＰＵ９０はショット登録、ショット再生、表示器３０の表示等の処理をスイッチ操作に基づいて実行する。
【００３３】
次に、上記ショットボックス１０の操作パネル２４に設けられた表示器３０Ａ〜３０Ｆについて説明する。図２に示したようにショットボックス１０には、各ショットスイッチ２６Ａ〜２６Ｆに対応して表示器３０Ａ〜３０Ｆが配設されている。各表示器３０Ａ〜３０Ｆは、複数のＬＥＤにより同じように構成されており、図５に、ショット番号１番と２番のショットスイッチ２６Ａ、２６Ｂと表示器３０Ａ、３０Ｂを拡大して示すと、同図に示すように各表示器３０Ａ〜３０Ｆは、横１列に配列された複数のＬＥＤ１００Ａ〜１００Ｈによって構成されている。また、横一列に配列されたＬＥＤ１００Ａ〜１００Ｈの両横にはテレ端を示す「Ｔ」の文字と、ワイド端を示す「Ｗ」の文字が表記されており、テレ端からワイド端までのズーム位置の各点に各ＬＥＤ１００Ａ〜１００Ｈが対応付けられている。各ＬＥＤ１００Ａ〜１００Ｈは例えば赤色に点灯し、又は消灯するもので、各表示器３０Ａ〜３０Ｆの所定のＬＥＤのみを点灯させることで、ショット位置やズームの現在位置を表示し、これらの位置を操作者に認知させることができるようになっている。
【００３４】
各表示器３０Ａ〜３０Ｆによるショット位置の表示は、上述のようにショットボックス１０のＣＰＵ９０によって、図４のステップＳ３４及びステップＳ３６において行われ、ＣＰＵ９０が、各ショットスイッチ２６Ａ〜２６Ｆに対応してメモリに記憶されたショット位置（ズーム制御値）を読み出して（ステップＳ３４）、ＬＥＤ１００Ａ〜１００Ｈのうちショット位置に対応するＬＥＤのみを点灯させることで（ステップＳ３６）、各ショットスイッチ２６Ａ〜２６Ｆに対応して記憶されたショット位置が各表示器３０Ａ〜３０Ｆに表示される。例えば、図５のショット番号１の表示器３０ＡではＬＥＤ１００Ｆが点灯しており（ＬＥＤ１００Ｆ以外のＬＥＤは消灯）、ショット番号２の表示器３０ＢではＬＥＤ１００Ｇが点灯しており、これらの点灯位置によってショットスイッチ２６Ａ、２６Ｂに対して登録されたショット位置が認識可能に表示される。各表示器３０Ａ〜３０Ｆによるショット位置の表示は、ショット再生中であるか否かにかかわらずショット位置が登録されたショットスイッチに関して常時行われるため、操作者は、ショットスイッチをオンしてショット再生する前に、各ショットスイッチ２６Ａ〜２６Ｆに登録されているショット位置を確認してから所望のショット位置へのショット再生を選択することができる。
【００３５】
これに対して、各表示器３０Ａ〜３０Ｆによるズームの現在位置の表示は、再生モードにおいて、何れかのショットスイッチがオンされてショット再生が実行されている場合にのみ、そのオンされたショットスイッチに対応する表示器に対して行われる。このズームの現在位置表示は、上述のようにショットボックス１０のＣＰＵ９０によって、図４のステップＳ３２におけるショット再生の処理と共に行われ、ＣＰＵ９０がレンズ装置６からズームの現在位置を取得し、オンされたショットスイッチの表示器に対して、そのズームの現在位置に対応するＬＥＤを点灯させることで、ズームの現在位置が表示器に表示されることになる。尚、このズーム現在位置の表示の際には上述のショット位置の表示も同時に行われている。例えば、図５のショット番号２のショットスイッチ２６Ｂは、再生モードにおいてオンされ、ショットスイッチ２６Ｂに設けられたＬＥＤが点灯している状態を示しており、表示器３０Ｂでは、ショット位置を示すＬＥＤ１００Ｇの点灯の他にＬＥＤ１００Ｂが点灯してズームの現在位置が表示されている。ショット再生においてズームはショット位置に近づくように移動するため、表示器３０Ｂ上のズームの現在位置を示す点灯位置もショット位置の点灯位置に徐々に近づき、最終的にはショット位置に重なる。
【００３６】
以上のように、ショット登録されたショットスイッチについてはそのショットスイッチに対応する表示器にショット位置が表示されるため、操作者は容易に登録したショット位置を知ることができる。また、ショット再生の際にはショット位置の他にズームの現在位置も同時に表示されるため、ズームがショット位置に到達するまでの残り移動量を容易に知ることができる。尚、ズームの現在位置はショット再生を実行している場合にのみ表示されるようにしたが、ショット位置の表示と共に常時表示するようにしてもよい。また、ショット機能を使用しない場合等に表示器３０Ａ〜３０Ｆによるショット位置等の表示が不要なときには省電力化のために所定のスイッチによって表示器３０Ａ〜３０Ｆの表示を消せるようにしてもよい。
【００３７】
次に他の形態のショットボックスに本発明を適用する場合について説明する。上記実施の形態では、ズームに関してショット位置を登録し、ショット再生するショットボックスに本発明を適用する場合について説明したが、ズームに限らずフォーカスやアイリス等のレンズ装置６の他の制御対象に関してショット位置を登録し、ショット再生するショットボックスも知られており、このようなショットボックスにおいても上記実施の形態と同様に構成された表示器によってそのショット位置（及び現在位置）を表示することができる。また、一つのショットスイッチに対して複数の制御対象、例えば、ズームとフォーカスのショット位置を登録し、そのショットスイッチをオンすると、ズームとフォーカスをそれぞれのショット位置に同時に再生するものも知られており、この場合には、上記実施の形態と同様に構成された表示器を各制御対象毎に設けておくようにしてもよいし、一つの表示器を各制御対象毎に色を変えて表示するようにしてもよい。以下に示す他の実施の形態では、表示器に各制御対象毎のショット位置を色を変えて表示する場合について説明すると共に、この表示器が適用されるショットボックスの例として、１つのショットスイッチにズーム、フォーカス、アイリスのショット位置を登録し、ショット再生の際にはイネーブルスイッチによって選択した制御対象のみをショット再生できるようにしたショットボックスを示すことにする。
【００３８】
図６は、他の実施の形態におけるショットボックス１０の操作パネル２４の構成を示した図である。尚、図２に示したショットボックス１０と同一又は類似の部材には図２と同一符号を付し、その説明は省略する。同図に示すイネーブルスイッチ１５０Ａ、１５０Ｂ、１５０Ｃは、再生モードにおいてショットスイッチ２６Ａ〜２６Ｆの何れかがオンされたときにショット再生する制御対象を選択するために設けられたもので、ズーム、フォーカス、アイリスに対応して３つのイネーブルスイッチ１５０Ａ、１５０Ｂ、１５０Ｃが設けられている。
【００３９】
上記実施の形態と同様に、メモスイッチ２８をオンにして登録モードにし、ショットスイッチ２６Ａ〜２６Ｆの何れかをオンすると、そのときのズーム位置、フォーカス位置、及びアイリス位置がレンズ装置６からショットボックス１０に読み込まれ、そのオンしたショットスイッチに対応してそれらの位置がショット位置としてメモリに記憶される。尚、ショット登録の際にはイネーブルスイッチ１５０Ａ、１５０Ｂ、１５０Ｃのオン、オフに限らず、ズーム、フォーカス及びアイリスの全てに関してショット位置が登録される。
【００４０】
一方、メモスイッチ２８をオフにして再生モードにし、ショット位置が登録された何れかのショットスイッチ２６Ａ〜２６Ｆをオンすると、ズーム、フォーカス及びアイリスのうち、イネーブルスイッチ１５０Ａ、１５０Ｂ、１５０Ｃがオンとなっている制御対象のみが、登録されているショット位置にショット再生される。例えば、ズームに関するイネーブルスイッチ１５０Ａのみをオンにしておくと、ショットスイッチ２６Ａ〜２６Ｆの何れかをオンしたときにズームのみが登録されたショット位置にショット再生される。従って、ショット再生する前に所望の制御対象のイネーブルスイッチ１５０Ａ、１５０Ｂ、１５０Ｃをオンにしておくことで、その制御対象のみをショット再生することができる。
【００４１】
このようなショットボックス１０において各ショットスイッチ２６Ａ〜２６Ｆに対応して設けられた表示器３０Ａ〜３０Ｆは、上記実施の形態と同様にショット位置を表示し、また、ショット再生中の制御対象の現在位置を表示する。但し、本形態では、ズーム、フォーカスに関するショット位置、現在位置のみを表示し、アイリスに関するショット位置、現在位置の表示は行わないものとする。
【００４２】
図７は、ショットボックス１０のショット番号１番と２番のショットスイッチ２６Ａ、２６Ｂ及び表示器３０Ａ、３０Ｂを拡大して示したものである。同図に示すように各表示器３０Ａ〜３０Ｆは上記実施の形態と同様に横一列に配列された複数のＬＥＤ１００Ａ〜１００Ｈによって構成されるが、横一列に配列されたＬＣＤ１００Ａ〜１００Ｈの両横にテレ「Ｔ」とワイド「Ｗ」の文字の他に、フォーカスの無限遠端を示す「∞」の文字と、至近端を示す「Ｎ」の文字が表記されている。また、各ＬＥＤは多色発光するタイプのものが使用されており、例えば赤色と黄色に発光することができるようになっている。
【００４３】
ショット登録後、表示器３０Ａ〜３０Ｆにはイネーブルスイッチ１５０Ａ、１５０Ｂによってオンされている制御対象のみに関してショット位置の表示が行われる。例えば、ズームとフォーカスの両方のイネーブルスイッチ１５０Ａ、１５０Ｂをオンにすると、ズームとフォーカスの両方のショット位置が各表示器３０Ａ〜３０Ｆに表示されることになり、各表示器３０Ａ〜３０Ｆではズームとフォーカスの両方のショット位置に対応するＬＥＤが点灯する。このときＬＥＤはズームとフォーカスのショット位置とで別色に発光し、たとえばズームのショット位置については赤色で発光し、フォーカスのショット位置については黄色で発光する。図７のショット番号１の表示器３０Ａではズームのショット位置に関し、ＬＥＤ１００Ｆが赤色に発光し、フォーカスのショット位置に関し、ＬＥＤ１００Ｃが黄色に発光している。また、ショット番号２の表示器３０Ｂではズームのショット位置に関し、ＬＥＤ１００Ｇが赤色に発光し、フォーカスのショット位置に関し、ＬＥＤ１００Ｄが黄色に発光している。ここで、ズームのイネーブルスイッチ１５０Ａをオフにしたとすると、各表示器３０Ａ〜３０Ｆでのズームのショット位置の表示は行われなくなり、フォーカスのショット位置に対応するＬＥＤのみが点灯することになる。フォーカスのイネーブルスイッチ１５０Ｂをオフした場合にも同様に各表示器３０Ａ〜３０Ｆでのフォーカスのショット位置の表示は行われなくなる。但し、イネーブルスイッチ１５０Ａ、１５０Ｂのオン、オフにかかわらず、常時、ズームとフォーカスのショット位置を各表示器３０Ａ〜３０Ｆに表示させておくようにしてもよい。
【００４４】
再生モードにおいて、ショットスイッチ２６Ａ〜２６Ｆの何れかをオンした場合には、表示器３０Ａ〜３０Ｆにはイネーブルスイッチ１５０Ａ、１５０Ｂによってオンされている制御対象のみの現在位置が表示される。例えば、ズームとフォーカスの両方のイネーブルスイッチ１５０Ａ、１５０Ｂをオンにした状態で、ショットスイッチ２６Ａ〜２６Ｆの何れかをオンにした場合には、そのオンしたショットスイッチに対応する表示器には、ズームの現在位置とフォーカスの現在位置とが、ショット位置と共に表示される。尚、ショット位置の表示と同様に、ズームの現在位置は赤色、フォーカスの現在位置は黄色で表示される。例えば、図７のショット番号２は、再生モードにおいて、ズームとフォーカスの両方のイネーブルスイッチ１５０Ａ、１５０Ｂがオンされた状態で、ショットスイッチ２６Ｂがオンされた状態を示しており、表示器３０Ｂには、ズームとフォーカスのショット位置を示すＬＥＤ１００Ｇ、１００Ｄの点灯の他に、ズームの現在位置に対応するＬＥＤ１００Ｂが赤色に点灯すると共に、フォーカスの現在位置に対応するＬＥＤ１００Ｆが黄色に点灯し、ズームとフォーカスの現在位置が表示されている。ショット再生においてズームとフォーカスはそれぞれのショット位置に近づくように移動するため、表示器３０Ｂ上のズームとフォーカスの現在位置を示す点灯位置もそれぞれのショット位置の点灯位置に徐々に近づき、最終的にはショット位置に重なる。ズームとフォーカスの何れかのイネーブルスイッチ１５０Ａ、１５０Ｂをオフにしてショット再生した場合には、ショット位置の表示と同様にイネーブルスイッチがオンされている制御対象の現在位置のみが表示器に表示される。
【００４５】
以上、上記図１乃至図７で説明した実施の形態では、ショットボックス１０の表示器３０Ａ〜３０Ｆの表示に関して、ショット再生の際に、ショット位置とズームの現在位置に対応するＬＥＤのみを点灯させるようにしたが、これに限らず、ショット位置に対応するＬＥＤとズームの現在位置に対応するＬＥＤの間にあるＬＥＤを全て点灯させるようにしてもよく、ショット位置及び現在位置の表示の方法はどのように行ってもよい。
【００４６】
また、各表示器３０Ａ〜３０Ｆの構成においても上記実施の形態では、ワイド端からテレ端（無限遠端から至近端）までのズーム位置（フォーカス位置）に対応する複数のＬＥＤを横一列に配列したが、図８に示すように複数のＬＥＤを円弧状に配列してもよいし、縦に配列してもよい。
【００４７】
また、上記実施の形態の各表示器３０Ａ〜３０Ｆでは、同一形状のＬＥＤ１００Ａ〜１００Ｈを横一列に配列するようにしたが、図９に示すようにテレ端からワイド端までの画角を連想させる幅の異なるＬＥＤによってＬＥＤの点灯位置がテレ端からワイド端までの間のどの位置に相当するかを視覚的にわかりやすく表示するようにしてもよい。
【００４８】
また、上記実施の形態の表示器３０Ａ〜３０Ｆでは複数配列されたＬＥＤの点灯位置によってショット位置や現在位置を表示するようにしたが、数値を表示することができる表示器（数字表示用に配列された複数のＬＥＤ又はＬＣＤ等）によってこれらの位置を数値で表示するようにしてもよい。例えば、図１０に示すように各ショットスイッチ２６Ａ〜２６Ｆ毎にＬＣＤを設け、ズームのテレ端からワイド端まで全範囲を０〜１００の数値で表すことにして、ＬＣＤの右側にズームのショット位置を、ＬＣＤの右側にズームの現在位置を０〜１００の範囲内の数値で表示してもよい。フォーカス等の他の制御対象についてショット位置や現在位置を表示する場合も同様である。
【００４９】
また、上記実施の形態では、各表示器３０Ａ〜３０ＦをＬＥＤ等の単なる発光手段を配列して構成するようにしたが、これに限らずＬＣＤ等のキャラクターディスプレーを各ショットスイッチ２６Ａ〜２６Ｆに対応させて配設し、各キャラクターディスプレーに、上述のような数値を表示してショット位置等を表示する他、図形等の表示を利用してショット位置等を示すようにしてもよい。また、各ショットスイッチ２６Ａ〜２６Ｆ毎にＬＣＤを設けるのではなく、１つのＬＣＤ画面上に各ショットスイッチ２６Ａ〜２６Ｆ毎のショット位置（及び現在位置）を表示できるようにしてもよい。
【００５０】
また、上記実施の形態では各ショットスイッチ２６Ａ〜２６Ｆごとに表示器３０Ａ〜３０Ｆを設け、各ショットスイッチ２６Ａ〜２６Ｆに対応して記憶されたショット位置を同時に表示できるようにしたが、省スペース化のために、表示器を１つだけ設けると共に切換スイッチを設け、その表示器に各ショットスイッチ２６Ａ〜２６Ｆに対応して記憶されたショット位置を切換スイッチにより切り換えて表示するようにしてもよい。更に、この場合に、ショットスイッチも１つにし、また、メモリにはショットスイッチの数に限らず多数のショット位置を記憶できるようにし、再生モードにおいてショットスイッチがオンされたときには、そのとき表示器に表示されているショット位置に制御対象をショット再生させることで１つのショットスイッチで多数のショット位置へのショット再生を行えるようにしてもよい。
【００５１】
また、図６で示したショットボックスのように複数の制御対象についてショット登録、ショット再生できるようにしたショットボックスにおいては、各表示器３０Ａ〜３０Ｆにショット位置や現在位置を表示する制御対象を所定の表示切換スイッチによって自由に切り換えられるようにしてもよい。例えば、始めに表示器にズームに関するショット位置の表示が行われている場合に、表示切換スイッチを１回押す毎にフォーカス→アイリス→ズームとフォーカスの両方→ズームとアイリスの両方→フォーカスとアイリスの両方→ズームのように順に表示器にショット位置等を表示する制御対象を切り換えられるようにしてもよい。表示切換スイッチは１つだけ設けて表示器３０Ａ〜３０Ｆ全てに関して共通に表示を切り換えるようにしてもよいし、各表示器３０Ａ〜３０Ｆ毎に表示切換スイッチを設けて各表示器３０Ａ〜３０Ｆ毎に別々に表示を切り換えられるようにしてもよい。
【００５２】
【発明の効果】
以上説明したように本発明に係るレンズ制御装置によれば、メモリに記憶されたショット位置を表示手段に表示するようにしたため、操作者はショット再生を実行させる際にショット再生されるショット位置を容易に知ることができる。また、ショット位置の表示と共に、ショット再生される制御対象の現在位置を表示することにより、制御対象がショット位置に達するまでの残り移動量を知ることができる。
【図面の簡単な説明】
【図１】図１は、本発明が適用されるショットボックスを使用したテレビカメラシステムの外観図である。
【図２】図２は、ショットボックスの外観図である。
【図３】図３は、レンズ装置とショットボックスの構成を示した構成図である。
【図４】図４は、ショットボックスのＣＰＵの処理手順を示したフローチャートである。
【図５】図５は、ショットボックスの操作パネルを一部拡大して示した図である。
【図６】図６は、他の実施の形態におけるショットボックスの外観図である。
【図７】図７は、他の実施の形態におけるショットボックスの操作パネルを一部拡大して示した図である。
【図８】図８は、表示器の他の実施の形態を示した図である。
【図９】図９は、表示器の他の実施の形態を示した図である。
【図１０】図１０は、表示器の他の実施の形態を示した図である。
【符号の説明】
６…レンズ装置、１０…ショットボックス、１４…フォーカスデマンド、１６…ズームデマンド、２４…操作パネル、２６Ａ〜２６Ｆ…ショットスイッチ、２８…メモスイッチ、３０Ａ〜３０Ｆ…表示器、３４…スピード調整ツマミ、６６、９０…ＣＰＵ、１００Ａ〜１００Ｈ…ＬＥＤ
【図１】
0004238954.tif 000002
【図２】
0004238954.tif 000003
【図３】
0004238954.tif 000004
【図４】
0004238954.tif 000005
【図５】
0004238954.tif 000006
【図６】
0004238954.tif 000007
【図７】
0004238954.tif 000008
【図８】
0004238954.tif 000009
【図９】
0004238954.tif 000010
【図１０】
0004238954.tif 000011